(57)【要約】【課題】  機能性粉末と、樹脂系ワックス中に界面活性剤が配合されてなる主剤とを、使用者が使用する直前に混合することができ、その結果、機能性粉末が主剤中に均一に混合された機能性粉末含有ワックスを得ることが可能な機能性粉末含有ワックス収容セットを提供すること。【解決手段】  樹脂系ワックスに機能性粉末１１、界面活性剤が配合されてなり、建築部材等に塗布されてマイナスイオンを発生する機能性粉末含有ワックスを収容するための機能性粉末含有ワックス収容セット１であって、予め樹脂系ワックス中に界面活性剤が配合されてなる主剤１０が気体層７を有して収容される主容器２と、機能性粉末１１が収容される副容器３からなることを特徴とする。【選択図】図１
2006123997.tif 000002
【特許請求の範囲】
【請求項１】
樹脂系ワックスに機能性粉末、界面活性剤が配合され、建築部材等に塗布されてマイナスイオンを発生する機能性粉末含有ワックスを収容するための機能性粉末含有ワックス収容セットであって、
予め前記樹脂系ワックス中に界面活性剤が配合されてなる主剤が気体層を有して収容される主容器と、前記機能性粉末が収容される副容器からなることを特徴とする機能性粉末含有ワックス収容セット。
【発明の詳細な説明】
【技術分野】
【０００１】
本発明は、建築部材等に塗布されてマイナスイオンを発生する機能性粉末含有ワックスを収容するための機能性粉末含有ワックス収容セットに関するものである。
【背景技術】
【０００２】
従来より、マイナスイオンを発生するトルマリン粉末を含有した機能性塗布剤が知られている。
【０００３】
このような機能性塗布剤は、トルマリン粉末を界面活性剤や水溶性アクリル発泡液、樹脂ワックス、ワニス等の液体成分と混合してなるものであり、各種建築部材等に塗布されてマイナスイオンを発生するものである（特許文献１）。
【特許文献１】特開２００２−３０６５８８号公報
【発明の開示】
【発明が解決しようとする課題】
【０００４】
しかしながら、上記の機能性塗布剤においては、トルマリン粉末が予め液体成分と混合されているため、使用者が使用するまでに機能性塗布剤が長時間放置された状態となる。その結果、トルマリン粉末が液体成分中において沈降してしまい、攪拌しても混ざりにくくなるために、トルマリン粉末を均一に塗布することが困難となり、その結果、機能性塗布剤としての充分な効果を得られないおそれがあった。
【０００５】
本発明は、かかる事由に鑑みてなしたもので、その目的とするところは、機能性粉末と、樹脂系ワックス中に界面活性剤が配合されてなる主剤とを、使用者が使用する直前に混合することができ、その結果、機能性粉末が主剤中に均一に混合された機能性粉末含有ワックスを得ることが可能な機能性粉末含有ワックス収容セットを提供することにある。
【課題を解決するための手段】
【０００６】
上記課題を解決するために、本発明における機能性粉末含有ワックス収容セットは、樹脂系ワックスに機能性粉末、界面活性剤が配合され、建築部材等に塗布されてマイナスイオンを発生する機能性粉末含有ワックスを収容するための機能性粉末含有ワックス収容セットであって、予め前記樹脂系ワックス中に界面活性剤が配合されてなる主剤が気体層を有して収容される主容器と、前記機能性粉末が収容される副容器からなることを特徴とする。
【発明の効果】
【０００７】
上記本発明の機能性粉末含有ワックス収容セットは、予め前記樹脂系ワックス中に界面活性剤が配合されてなる主剤が気体層を有して収容される主容器と、前記機能性粉末が収容される副容器からなるので、使用者が塗布作業を行う直前に機能性粉末を主剤中に混合することができる。その結果、機能性粉末が主剤中に均一に混合された機能性粉末含有ワックスを得ることができ、機能性粉末を良好に塗布することが可能となり、疲労回復、自律神経回復、免疫機能向上等の機能性粉末の効果を良好に発揮できるようになる。
【発明を実施するための最良の形態】
【０００８】
（実施形態１）
本発明の実施形態１における機能性粉末含有ワックス収容セット１について、図１に基づいて説明する。
【０００９】
本実施形態における機能性粉末含有ワックス収容セット１は、予め樹脂系ワックス中に界面活性剤が配合されてなる主剤が気体層を有して収容される主容器２と、機能性粉末が収容される副容器３からなる。また、副容器３は主容器２に紐６を用いて結合された状態となっている。
【００１０】
主容器２は、上部に開口部８を有する容器本体４とキャップ５からなる。開口部８の外周にはネジ部が形成されており、キャップ５と螺合されて開口部８を密閉するようになっている。
【００１１】
そして、主容器２内には液状の主剤１０が気体層７を有した状態で収容される。ここで、開口部８は機能性粉末１１を入れやすいように径を大きくしておくことが好ましい。
【００１２】
副容器３は、機能性粉末１１を収容するためのものであり、吸湿性のない材料を用いることが好ましい。このような材料として、耐水ビニール袋やアルミパック等を用いることができ、さらに、機能性粉末１１を収容した後に副容器３内を真空引きしておくことが好ましい。
【００１３】
主剤１０は、アクリル系ワックスに界面活性剤が配合されてなるものである。界面活性剤の配合量としては、特に限定されるものではないが、０．５〜１重量％が好ましい。
【００１４】
本実施形態においては、機能性粉末１１として、マイナスイオンを発生するトルマリン粉末を用いている。トルマリン粉末の粒径は、１μｍ以下が好ましく、より好ましくは、０．４〜０．５μｍが好ましい。また、主剤１０へのトルマリン粉末の添加量については、５〜３０重量％が好ましい。上記のような粒径及び添加量とすることにより、機能性粉末１１を主剤１０中に均一に分散させることができるのである。
【００１５】
次に本実施形態における機能性粉末含有ワックス収容セット１の使用方法について説明する。
【００１６】
使用者は、塗布作業を行う直前に、副容器３内の機能性粉末１１を主容器２内に入れ、キャップ５により開口部８を密閉した後、主容器２を振ることによって攪拌して機能性粉末１１を主剤１０中に分散させる。この時、主容器２内には空気からなる気体層７が存在しているので、混合液の攪拌をより良好に行うことができ、機能性粉末１１がより均一に分散されるようになる。そして、得られた機能性粉末含有ワックスを開口部８から取り出しながら建築部材等へ塗布するのである。
【００１７】
以上のように、本実施形態における機能性粉末含有ワックス収容セット１は、予め樹脂系ワックス中に界面活性剤が配合されてなる主剤１０が気体層７を有して収容される主容器２と、機能性粉末１１が収容される副容器３からなるので、使用者が塗布作業を行う直前に機能性粉末１１を主剤１０中に混合することができる。その結果、機能性粉末１１が主剤１０中に均一に混合された機能性粉末含有ワックスを得ることができ、機能性粉末１１を良好に塗布することが可能となり、機能性粉末１１の効果を良好に発揮できるようになる。
【００１８】
また、副容器３は主容器２に紐６を用いて結合されているので、例えば、販売業者や使用者が主容器２と副容器３のどちらか一方を失ってしまうといったことを防止することができる。
【００１９】
なお、本実施形態においては、副容器３を主容器２に紐６を用いて結合しているが、これに限定されるものではなく、別の結合手段を用いてもよいし、あるいは結合せずに別々にしておいてもよい。
【００２０】
また、主容器２の材質については金属、樹脂、ガラス等が挙げられるが、主剤の特性に応じて適宜選択すればよいものである。同様に、副容器３についても金属、樹脂、ガラス等からなる容器を用いてもよい。
【００２１】
また、機能性粉末１１としては、トルマリン粉末以外に、例えば、光明石、医王石、龍王石等も適宜選択可能であり、また、減磨耗剤等を混合しておいてもよい。
【００２２】
（実施形態２）
次に、本発明の実施形態２における機能性粉末含有ワックス収容セット１について、図２に基づいて説明する。本実施形態においては、実施形態１と異なる部分についてのみ説明する。
【００２３】
本実施形態においては、主容器２のキャップ５が副容器３を兼ねている。即ち、キャップ５内に機能性粉末１１が充填されている。
【００２４】
本実施形態における主容器２の開口部８の上端部には、リング状のパッキン２４を介して球状体２０が係止されている。そして、このパッキン２４と球状体２０により開口部８が密閉された状態となっている。
【００２５】
キャップ５内の頂面には凸状部２１が設けられており、下端部が球状体２０の上方で、球状体２０とほぼ接するよう配置されている。
【００２６】
そして、キャップ５とパッキン２４及び球状体２０により形成される空間には、機能性粉末１１が充填されている。
【００２７】
開口部８の外周には、ネジが形成されており、キャップ５と一部が螺合した状態となっている。そして、この状態よりもキャップ５が開口部８にさらに螺合していくのを防止するために、開口部８の周囲には止め具２３が設けられている。
【００２８】
次に本実施形態における機能性粉末含有ワックス収容セット１の使用方法について説明する。
【００２９】
使用者は塗布作業を行う直前に、まず止め具２３を取り外す。その後、キャップ５が閉まる方向、即ちキャップ５が容器本体４に近づいていくように、キャップ５を開口部８に螺合させていく。すると、球状体２０が凸状部２１によって下方に押されていき、ついには球状体２０がパッキン２４から外れて容器本体４内に落とされる。そして、球状体２０が係止されていた部分、即ちリング状のパッキン２４の中空部分から、キャップ５内に充填されていた機能性粉末１１を容器本体４側へと移動させるのである。そして、容器本体４を振ることによって攪拌し、機能性粉末１１を主剤１０中に分散させるのである。
【００３０】
以上のように、本実施形態における機能性粉末含有ワックス収容セット１は、主容器２のキャップ５が副容器３を兼ねているので、主剤１０と機能性粉末１１とをひとつの容器内において分離した状態としておくことができ、取り扱いや保管が容易となるとともに、販売業者や使用者が主容器２と副容器３のどちらか一方を失ってしまうといったことを防止することができる。
【００３１】
また、容器本体４内に落とされた球状体２０により、主剤１０と機能性粉末１１とを混合する際に、機能性粉末１１を主剤１０中により均一に分散させることができるようになる。
【００３２】
なお、球状体２０の材質については金属、樹脂、ガラス、セラミック等が挙げられるが、主剤の特性に応じて適宜選択すればよいものである。
【図面の簡単な説明】
【００３３】
【図１】本発明の実施形態１における機能性粉末含有ワックス収容セット１の断面図である。
【図２】本発明の実施形態２における機能性粉末含有ワックス収容セット１の断面図である。
【符号の説明】
【００３４】
１  機能性粉末含有ワックス収容セット
２  主容器
３  副容器
４  容器本体
５  キャップ
６  紐
７  気体層
８  開口部
１０  主剤
１１  機能性粉末
２０  球状体
【図１】
2006123997.tif 000003
【図２】
2006123997.tif 000004